(57)【要約】【課題】ソフトコンタクトレンズの脱着に際して、操作が簡単であり、特に装着を早く行うことが出来、また、容易に且つ安心して装着することの出来る安価なソフトコンタクトレンズ用脱着具を提供する。【解決手段】一体的な樹脂製品として構成されるソフトコンタクトレンズ用脱着具１０において、逆八の字状形状の一対の接触片部１２ａ，１２ａにて、ソフトコンタクトレンズ２０を摘み得るようにしたレンズ保持部１２と、長手方向に移動可能とされた作動部１４と、作動部１４の両側に相対向して位置する押圧部の挟圧操作によって、ソフトコンタクトレンズ２０が摘まれて、保持せしめられるようにした操作部１６と、作動部１４のレンズ保持部１２側への移動により、レンズ保持部１２の逆八の字状形状が、更に大きく拡開されるように構成した連結部１８とを有する構造とした。【選択図】図４
2020008723.tif 000002
【特許請求の範囲】
【請求項１】
一体的な樹脂製品として構成され、ソフトコンタクトレンズの脱着に用いられる器具にして、
逆八の字状形状において外方に開口する、相対向する湾曲した所定幅の一対の接触片部を有し、それら接触片部の相互の接近にて、前記ソフトコンタクトレンズを摘み得るようにした樹脂製のレンズ保持部と、
長手形状の樹脂部材からなり、該樹脂部材の先端部に、前記レンズ保持部が一体的に設けられて、該レンズ保持部と共に、長手方向に移動可能とされた作動部と、
該作動部を取り囲むように配置され、該作動部の両側に相対向して位置する部位が、それぞれ押圧部とされると共に、それら二つの押圧部の先端部において、前記レンズ保持部の対応する接触片部に接続されてなり、それら押圧部の挟圧操作によって、それら相対向する一対の接触片部を接近させて、それらの間に、前記ソフトコンタクトレンズが摘まれて、保持せしめられるようにした、弾性的に変形可能な樹脂製の操作部と、
前記作動部の基部側の端部を、該操作部の二つの押圧部にそれぞれ連結せしめて、該操作部における押圧部の挟圧操作や該作動部の長手方向への移動操作によって変形可能とされ、該作動部のレンズ保持部側への移動により、前記レンズ保持部の逆八の字状形状が、更に大きく拡開されるように構成した樹脂製の連結部とを、
有することを特徴とするソフトコンタクトレンズ用脱着具。
【請求項２】
前記操作部が、全体としてコ字状形状を呈するように成形されてなり、該コ字状形状の内側空間内に、前記作動部が収容、配置されていると共に、かかるコ字状形状の二つの自由端部が、それぞれ対応する前記レンズ保持部の接触片部の背部に一体的に連結されていることを特徴とする請求項１に記載のソフトコンタクトレンズ用脱着具。
【請求項３】
前記連結部が、前記作動部に対して凹陥した湾曲形状を呈する湾曲部を有し、この湾曲部の中央部位に、該作動部の基部側の端部が連結されている一方、かかる湾曲部の両端部位において、それぞれ、前記操作部の二つの押圧部に連結されており、該二つの押圧部の挟圧操作によって、該作動部が常時後方に移動させられるようにして、前記レンズ保持部の一対の接触片部を相互に接近せしめて、前記ソフトコンタクトレンズを摘み得るようになっている一方、該作動部を前方に移動せしめて、前記連結部における湾曲部の湾曲形状を反転させることにより、前記レンズ保持部の一対の接触片部が外方に更に大きく拡開せしめられ得るように構成されていることを特徴とする請求項１又は請求項２に記載のソフトコンタクトレンズ用脱着具。
【請求項４】
前記操作部における二つの押圧部の、前記レンズ保持部の一対の接触片部に対する接続部位近傍及び該レンズ保持部の一対の接触片部の基部近傍に、それぞれ、ヒンジ部が設けられて、該レンズ保持部の一対の接触片部にて形成される逆八の字状形状が容易に形状変化し得るように構成されていることを特徴とする請求項１乃至請求項３の何れか１項に記載のソフトコンタクトレンズ用脱着具。
【請求項５】
前記ヒンジ部が、前記押圧部又は前記接触片部のヒンジ部配設部位を他の部位よりも薄肉化することによって、形成されていることを特徴とする請求項４に記載のソフトコンタクトレンズ用脱着具。
【請求項６】
前記連結部の前記作動部の基部側の端部に対する連結部位の近傍及び該連結部の前記操作部の二つの押圧部に対する連結部位の近傍に、それぞれ、ヒンジ部が設けられて、かかる連結部が容易に変形し得るように構成されていることを特徴とする請求項１乃至は請求項５の何れか１項に記載のソフトコンタクトレンズ用脱着具。
【請求項７】
前記ヒンジ部が、前記連結部のヒンジ部配設部位を他の部位よりも薄肉化することによって、形成されていることを特徴とする請求項６に記載のソフトコンタクトレンズ用脱着具。
【請求項８】
前記レンズ保持部における相対向する一対の接触片部の先端部が、それぞれ、それら接触片部の中央部側部位よりも小さな曲率半径をもって側方に湾曲せしめられて、前方に向かって円弧形状を呈する形状とされていることを特徴とする請求項１乃至請求項７の何れか１項に記載のソフトコンタクトレンズ用脱着具。
【請求項９】
前記レンズ保持部と前記作動部と前記操作部と前記連結部とが、一体成形品として構成されていることを特徴とする請求項１乃至請求項８の何れか１項に記載のソフトコンタクトレンズ用脱着具。
【請求項１０】
前記レンズ保持部が、エラストマゴム材料にて形成されている一方、前記操作部と前記連結部と前記作動部とが、可撓性を有する樹脂材料にて形成されていることを特徴とする請求項１乃至請求項９の何れか１項に記載のソフトコンタクトレンズ用脱着具。
【請求項１１】
前記レンズ保持部と、前記操作部、前記連結部及び前記作動部とが、２色成形乃至はインサート成形による一体射出成形品にて構成されていることを特徴とする請求項１０に記載のソフトコンタクトレンズ用脱着具。
【発明の詳細な説明】
【技術分野】
【０００１】
本発明は、ソフトコンタクトレンズの脱着に用いられる器具に係り、特に、ソフトコンタクトレンズを、その後面（レンズ内側）に触れることなく、収納ケースから取り出し、装用対象となる眼に対して、容易に装着することの出来るソフトコンタクトレンズ用脱着具に関するものである。
【背景技術】
【０００２】
従来から、コンタクトレンズの装用に際しては、それを収用した収納ケースからコンタクトレンズを取り出して、対象とする眼の眼球の表面に装着するようになっており、また装用中の眼から取り外したコンタクトレンズは、所定の収納ケースに収容されて、ケース内の保存液中に浸漬され、保存されるようになっている。そして、このようなコンタクトレンズの取扱いに際しては、手指がコンタクトレンズのレンズ面、特にレンズ後面に触れて、手指表面の油分や汚れ、細菌等が付着することがないように注意されてきており、コンタクトレンズの取扱説明書においても、その旨の指摘が為されている。加えて、コンタクトレンズの中でも、ソフトコンタクトレンズ（以下、ＳＣＬという）にあっては、その軟らかな材質の故に、その取扱いに困難を来たし、また装用者の長い爪や付け爪によって、ＳＣＬの脱着時に、ＳＣＬが損傷を受ける恐れもあり、その脱着作業が困難となるものであった。
【０００３】
このため、そのようなＳＣＬの装用に際して、手指にて直接に摘むことなく、器具により、ＳＣＬを摘んで取り出し、装着が出来るようにした各種のＳＣＬ用の脱着具が、提案されてきているのであるが、その操作性や脱着性等において、何等かの問題を内在するものであった。
【０００４】
例えば、特開２００４−９７７２１号公報においては、波形形状を呈する弾力性のあるＳＣＬ脱却具が明らかにされているが、それは、あくまでも、眼からＳＣＬを取り外すことを目的とするに過ぎないものであって、眼に対する装着機能を有するものではなかったのである。そして、そのような脱却具にあっては、その山形の両側部を挟圧することにより、レンズの中央部分を眼から浮かせて、両側の谷部部位にてＳＣＬを挟持するようになっているのであるが、それによって、コシのない軟らかなＳＣＬを挟持することは、簡単なことではなく、またそれを挟持し得た場合にあっても、それが半分に折り曲げられて、半円形状に重ね合わされた状態から、再び、元の円形形状に拡開して、眼に装着することは、極めて困難なことであった。しかも、レンズを取り外す際に、脱却具が眼の黒眼部分に触れて、傷付ける恐れがあり、それによって視力に悪影響をもたらす問題も内在しているのである。
【０００５】
また、実開昭５７−２０１７号公報に開示のＳＣＬ用着脱用具にあっては、開閉自在の一対の挟着片の頂部にそれぞれ半円形皿状部を設けて、その半円形皿状部にてレンズを保持し得る円形皿を形成するようにした構造が採用されているのであるが、この脱着用具にあっても、ＳＣＬの取外しには、眼の中央部分にてレンズを挟むこととなるために、上記と同様な問題を内在しているのであり、更に、そのような半円形皿状部にて、装用されている眼からＳＣＬを挟持する作業は困難なことであることに加えて、一対の挟着片にて挟持したＳＣＬを元の円形形状に拡げて、収納ケースのドーム状のレンズ支持面に載置して、収納せしめる作業も、容易でない問題を内在している。
【０００６】
さらに、特開２０１２−１０３３５０号公報においては、ＳＣＬを変形させて摘む一対の挟持部を、鋏型構造において、接近及び離隔可能に設けてなる、装着機能のみが付与されてなるＳＣＬ用装着具が、提案されているのであるが、そこでは、あくまでも、一対の挟持部の先端部にてＳＣＬを挟持する、換言すれば摘むものであるところから、ＳＣＬが局所的に折れ曲がるという問題を内在している。なお、そこでは、それら一対の挟持部の先端部に緩衝保持体を設けるとされているのであるが、そうしたところで、そのような問題の解消には至らず、依然として、ＳＣＬに折り畳み部を形成してなる状態において、眼に対する装着も行われることとなる問題がある。
【０００７】
更にまた、特許第５２０８３２０号公報においては、棒状の柄部の先端に設けた頭部が上面及び下面を丸みを帯びた形状とされてなる、全体として匙形状を呈するコンタクトレンズ装着補助具を用い、この装着補助具と、ピンセット形状のレンズ装着器具とを組み合わせて、かかる装着補助具の頭部の下面にコンタクトレンズのレンズ凹面を付着させて、レンズ装着器具の所定位置にレンズ凸面を載置させるようにして、目的とするコンタクトレンズを眼球上に装着する方式が提案され、実際に、商品として、市販もされているのであるが、そこでは、ピンセット型のレンズ装着器具とスプーン型の装着補助具とを組み合わせて使用するものであるところから、レンズ装着作業が面倒となることに加えて、その取扱いに時間を要する器具となるものであり、しかも、二物品にて構成するものであるところから、製品コストが高くなる等の問題も内在している。
【先行技術文献】
【特許文献】
【０００８】
【特許文献１】特開２００４−９７７２１号公報
【特許文献２】実開昭５７−２０１７号公報
【特許文献３】特開２０１２−１０３３５０号公報
【特許文献４】特許第５２０８３２０号公報
【発明の概要】
【発明が解決しようとする課題】
【０００９】
ここにおいて、本発明は、上述せる如き事情を背景にして為されたものであって、その解決課題とするところは、ＳＣＬの脱着に際して、操作が簡単であり、特に装着を早く行うことが出来、また、容易に且つ安心して装着することの出来る安価なＳＣＬ用脱着具を提供することにある。
【課題を解決するための手段】
【００１０】
そして、本発明にあっては、上記した課題を解決するために、一体的な樹脂製品として構成され、ＳＣＬの脱着に用いられる器具にして、（ａ）逆八の字状形状において外方に開口する、相対向する湾曲した所定幅の一対の接触片部を有し、それら接触片部の相互の接近にて、前記ＳＣＬを摘み得るようにした樹脂製のレンズ保持部と、（ｂ）長手形状の樹脂部材からなり、該樹脂部材の先端部に、前記レンズ保持部が一体的に設けられて、該レンズ保持部と共に、長手方向に移動可能とされた作動部と、（ｃ）該作動部を取り囲むように配置され、該作動部の両側に相対向して位置する部位が、それぞれ押圧部とされると共に、それら二つの押圧部の先端部において、前記レンズ保持部の対応する接触片部に接続されてなり、それら押圧部の挟圧操作によって、それら相対向する一対の接触片部を接近させて、それらの間に、前記ＳＣＬが摘まれて、保持せしめられるようにした、弾性的に変形可能な樹脂製の操作部と、（ｄ）前記作動部の基部側の端部を、該操作部の二つの押圧部にそれぞれ連結せしめて、該操作部における押圧部の挟圧操作や該作動部の長手方向への移動操作によって変形可能とされ、該作動部のレンズ保持部側への移動により、前記レンズ保持部の逆八の字状形状が、更に大きく拡開されるように構成した樹脂製の連結部とを、有することを特徴とするＳＣＬ用脱着具を、その要旨とするものである。
【００１１】
なお、本発明に従うＳＣＬ用脱着具の望ましい態様の一つによれば、前記操作部が、全体としてコ字状形状を呈するように成形されてなり、該コ字状形状の内側空間内に、前記作動部が収容、配置されていると共に、かかるコ字状形状の二つの自由端部が、それぞれ対応する前記レンズ保持部の接触片部の背部に一体的に連結されている構成が採用されることとなる。
【００１２】
また、本発明の他の望ましい態様によれば、前記連結部が、前記作動部に対して凹陥した湾曲形状を呈する湾曲部を有し、この湾曲部の中央部位に、該作動部の基部側の端部が連結されている一方、かかる湾曲部の両端部位において、それぞれ、前記操作部の二つの押圧部に連結されており、該二つの押圧部の挟圧操作によって、該作動部が常時後方に移動させられるようにして、前記レンズ保持部の一対の接触片部を相互に接近せしめて、前記ソフトコンタクトレンズを摘み得るようになっている一方、該作動部を前方に移動せしめて、前記連結部における湾曲部の湾曲形状を反転させることにより、前記レンズ保持部の一対の接触片部が外方に更に大きく拡開せしめられ得るように構成されている。
【００１３】
さらに、本発明にあっては、望ましくは、前記操作部における二つの押圧部の、前記レンズ保持部の一対の接触片部に対する接続部位近傍及び該レンズ保持部の一対の接触片部の基部近傍に、それぞれ、ヒンジ部が設けられて、該レンズ保持部の一対の接触片部にて形成される逆八の字状形状が容易に形状変化し得るように構成されている。なお、そこで、前記ヒンジ部は、前記押圧部又は前記接触片部のヒンジ部配設部位を他の部位よりも薄肉化することによって、形成されていることが好ましい。
【００１４】
加えて、本発明にあっては、望ましくは、前記連結部の前記作動部の基部側の端部に対する連結部位の近傍及び該連結部の前記操作部の二つの押圧部に対する連結部位の近傍に、それぞれ、ヒンジ部が設けられて、かかる連結部が容易に変形し得るように構成されている。なお、ここで、かかるヒンジ部は、前記連結部のヒンジ部配設部位を他の部位よりも薄肉化することによって、形成されていることが望ましい。
【００１５】
そして、本発明に従うＳＣＬ用脱着具の望ましい態様の他の一つによれば、前記レンズ保持部における相対向する一対の接触片部の先端部が、それぞれ、それら接触片部の中央部側部位よりも小さな曲率半径をもって側方に湾曲せしめられて、前方に向かって円弧形状を呈する形状とされている。
【００１６】
また、本発明にあっては、望ましくは、前記レンズ保持部と前記作動部と前記操作部と前記連結部とが、一体成形品として構成されている。
【００１７】
さらに、本発明にあっては、前記レンズ保持部が、エラストマゴム材料にて形成されている一方、前記操作部と前記連結部と前記作動部とが、可撓性を有する樹脂材料にて形成されていることが望ましい。そして、そこにおいては、前記レンズ保持部と、前記操作部、前記連結部及び前記作動部とが、２色成形乃至はインサート成形による一体射出成形品にて構成されていることが望ましいのである。
【発明の効果】
【００１８】
このように、本発明に従うＳＣＬ用脱着具にあっては、一体的な樹脂製品として構成される一つの部品からなるピンセット型構造を有し、そのレンズ保持部における逆八の字状形状の一対の接触片部を、操作部の相対向する二つの押圧部の挟圧操作によって、かかる逆八の字状形状が狭くなる方向に相互に接近せしめて、ＳＣＬを摘み、収納ケースから取り出すようにする一方、眼の眼球に対する装着に際しては、作動部のレンズ保持部側への移動操作によって、一対の接触片部を大きく拡開せしめてなる状態において行うことが可能となるところから、一つの部品の操作によって、ＳＣＬの脱着が容易に行われ得ることに加えて、操作が簡単で且つ安心して装着することが出来ることとなるのであり、以て、取扱いの容易な脱着具が、有利に提供され得ることとなったのである。
【００１９】
また、本発明に係るＳＣＬ用脱着具にあっては、２物品からなるものではなく、ピンセット型構造の一つの物品にて構成されるものであるところから、安価であって、一体の樹脂成形品として形成することが出来ることとなるものであるため、その製造コストの低減にも、有利に寄与し得ることとなるのである。
【００２０】
しかも、本発明に従うＳＣＬ用脱着具は、ＳＣＬの取り出しや装着に際して、レンズ内面に触れることなく、レンズ外面をレンズ保持部の一対の接触片部にて摘むようにして取り出し、眼に装用することが出来ることとなるところから、指の汚れや細菌等をレンズ内面に付着させて、眼の中に持ち込むような問題が効果的に回避され得ることとなる他、装用者の指先の爪が長く伸びていたり、付け爪が装着されていたりしても、それらの爪先にてレンズを傷付けるようなこともなく、容易にＳＣＬの脱着を行うことが出来る特徴を有しているのである。
【図面の簡単な説明】
【００２１】
【図１】本発明に従うＳＣＬ用脱着具の一例を示す斜視説明図である。
【図２】図１に示されるＳＣＬ用脱着具の説明図であって、（ａ）は、その平面説明図であり、（ｂ）は、その右側面説明図であり、（ｃ）は、（ａ）におけるＡ−Ａ断面拡大説明図である。
【図３】図１に示されるＳＣＬ用脱着具におけるレンズ保持部の拡開形態を示す平面拡大部分説明図であって、（ａ）は、挟圧作用の加えられていない通常の拡開形態を示す説明図であり、（ｂ）は、操作部の対向する二つの押圧部の挟圧によって、レンズ保持部の逆八の字状形状を狭くしてなる形態を示す説明図であり、（ｃ）は、作動部の前進によって、レンズ保持部の逆八の字状形状が大きく拡開されてなる形態を示す説明図である。
【図４】図１に示されるＳＣＬ用脱着具におけるＳＣＬの保持形態を示す説明図であって、（ａ）は、レンズ保持部の一対の接触片部にてＳＣＬを摘んで保持した状態を示す平面説明図であり、（ｂ）は、連結部の形状が反転するように作動部を前進させて、レンズ保持部の一対の接触片部の何れか一方に、ＳＣＬが付着、保持されてなる形態を示す平面説明図である。
【図５】図１に示されるＳＣＬ用脱着具を用いて、収納ケースからＳＣＬを取り出す一形態を示す説明図である。
【図６】図１に示されるＳＣＬ用脱着具の異なる使用形態を示す説明図であって、（ａ）は、図４（ｂ）に示されるＳＣＬの保持状態から、操作部の二つの押圧部を挟圧して、作動部を更に前進せしめることによって、レンズ保持部の逆八の字状形状を逆転せしめてなる状態において、一対の接触片部の一方にＳＣＬを保持させた形態を示す説明図であり、（ｂ）は、ＳＣＬ用脱着具における操作部の対向する二つの押圧部の挟圧により、レンズ保持部の逆八の字状形状を最大限に閉じて、ＳＣＬを保持してなる形態を示す説明図である。
【発明を実施するための形態】
【００２２】
以下に、本発明に係るＳＣＬ用脱着具の構成を更に具体的に明らかにするために、本発明の代表的な実施形態について、図面に基づいて、詳細に説明することとする。
【００２３】
先ず、図１には、本発明に従うＳＣＬ用脱着具の一例に係るものの斜視図が示されており、また図２には、その平面形態、右側面形態及び断面形態の概略が示されている。そこにおいて、ＳＣＬ用脱着具１０は、一体的な樹脂製品として構成され、ＳＣＬを摘み、装着するためのレンズ保持部１２と、このレンズ保持部１２に一体的に連結されてなる長手の作動部１４と、この作動部１４を取り囲むように位置する、全体としてコ字状の平面形状を有し、その二つの自由端部において、レンズ保持部１２にそれぞれ一体的に連結されてなる操作部１６と、作動部１４の端部と操作部１６の対向する二つの辺部との間をそれぞれ連結する連結部１８とを備え、全体として、図１や図２（ｂ）から明らかな如く、所定幅（高さ）：Ｗを有する形状とされている。
【００２４】
具体的には、レンズ保持部１２は、図２（ａ）から明らかな如く、逆八の字状形状において外方に開口する、相対向する湾曲した所定幅：Ｗの一対の接触片部１２ａ，１２ａを有し、それら接触片部１２ａ，１２ａが、それらの基部において一体化されて、長手の作動部１４の一端に、一体的に連結されている。また、それら接触片部１２ａ，１２ａの先端部が、それぞれ、その中央部側の部位よりも小さな曲率半径をもって側方に湾曲せしめられて、前方［図２（ａ）において下方］に向かって円弧形状を呈する形状の湾曲部１２ｂ，１２ｂとされている。一方、それら接触片部１２ａ，１２ａの基部近傍には、それぞれ、ヒンジ部１２ｃ，１２ｃが設けられて、かかるレンズ保持部１２の一対の接触片部１２ａ，１２ａにて形成される逆八の字状形状の形状変化が、容易に行われ得るように構成されている。
【００２５】
また、作動部１４は、長手形状の樹脂部材からなり、その先端部に、レンズ保持部１２が一体的に設けられて、かかるレンズ保持部１２と共に、その長手方向に移動可能とされている。なお、かかる作動部１４の両側の面に位置するように［図２（ａ）には、その一方の側の面が示されている］、所定距離隔てて位置する二つの三角形状の凹所１４ａ，１４ａの間に、３つの長円形状の凹所１４ｂ，１４ｂ，１４ｂが配設されており、これによって、作動部１４を、その長手方向に移動せしめるための指標とされていると共に、かかる作動部１４を、その両側から二本の指で挟持して、移動させるに際して、指の滑りを抑制乃至は阻止せしめ、以て、作動部１４の前後方向への移動を容易に行い得るようになっている。
【００２６】
さらに、操作部１６は、一対の接触片部１２ａ，１２ａから同一幅：Ｗにおいて延び、作動部１４を取り囲むように配置されてなる枠体形態を呈するものであって、ここでは、全体としてコ字状形状を呈するように成形されてなり、このコ字状形状の内側空間内に、作動部１４が配されていると共に、この作動部１４の両側に相対向して位置する部位（ここでは、コ字状形状の対向する辺部）が、それぞれ、押圧部１６ａ，１６ａとされている。そして、かかる二つの押圧部１６ａ，１６ａの先端部であるコ字状形状の二つの自由端部において、それぞれ対応するレンズ保持部１２の接触片部１２ａの背部に、一体的に連結されて、接続せしめられている。なお、かかる操作部１６の背部となる二つの押圧部１６ａ，１６ａを相互に連結する接続部（コ字状形状の二つの辺部の接続部）１６ｂが、内側に凹陥する湾曲形状とされており、これによって、操作部１６を構成する樹脂の可撓性に基づいて、操作部１６の弾性的な変形が効果的に可能ならしめられている。そして、それら二つの押圧部１６ａ，１６ａが相互に接近する方向に挟圧せしめられることによって、レンズ保持部１２における一対の接触片部１２ａ，１２ａが接近せしめられて、それらの間に、ＳＣＬが摘まれ、保持されるようになっている。そして、そのような保持部１２における一対の接触片部１２ａ，１２ａを相互に接近せしめて、逆八の字状形状の狭窄や拡開がより一層容易となるように、二つの押圧部１６ａ，１６ａの一対の接触片部１２ａ，１２ａに対する接続部位の近傍が薄肉化されて、厚さにおいてくびれ形状を呈するヒンジ部１６ｃ，１６ｃが、それぞれ形成されている。
【００２７】
加えて、連結部１８は、作動部１４の基部側の端部を、操作部１６の二つの押圧部１６ａ，１６ａにそれぞれ連結せしめて、かかる操作部１６における押圧部１６ａ，１６ａの挟圧操作や作動部１４の長手方向への移動操作によって変形可能となるように、構成されている。そして、ここでは、かかる連結部１８は、全体として作動部１４に対して、凹陥した湾曲形状を呈する湾曲部１８ａを有し、この湾曲部１８ａの中央部位に、作動部１４の基部側の端部が連結されている一方、かかる湾曲部１８ａの両端部位において、それぞれ、操作部１６の二つの押圧部１６ａ，１６ａに連結されている。また、ここでは、かかる連結部１８の、作動部１４の基部側の端部に対する連結部位の近傍、及び連結部１８の、操作部１６の二つの押圧部１６ａ，１６ａに対する連結部位の近傍が、それぞれ、薄肉化されて、くびれ形状を呈するヒンジ部１８ｂ，１８ｂ；１８ｃ，１８ｃが形成されて、連結部１８の変形が容易となるように、また連結部１８の形状を容易に保持し得るように、構成されている。
【００２８】
そして、かかる連結部１８が、操作部１６における二つの押圧部１６ａ，１６ａの挟圧操作や作動部１４の長手方向への移動操作によって変形せしめられることにより、レンズ保持部１２における一対の接触片部１２ａ，１２ａの逆八の字状形状の狭窄や拡開が実現され得るようになっているのである。即ち、ここでは、連結部１８が湾曲形状とされていることにより、操作部１６における二つの押圧部１６ａ，１６ａの挟圧操作によって、作動部１４は、常時後方に、換言すれば操作部１６における接続部１６ｂに向かって、移動せしめられるようになっており、これによって、図３（ｂ）に示されるように、レンズ保持部１２の一対の接触片部１２ａ，１２ａを相互に接近せしめて、ＳＣＬを摘み得るようになっている一方、作動部１４を前方に移動せしめることにより、連結部１８における湾曲部１８ａの湾曲形状が、図３（ｃ）に示される如く反転せしめられ、以て、レンズ保持部１２の一対の接触片部１２ａ，１２ａが、外方に更に大きく拡開せしめられ得るようになっている。なお、かかる連結部１８における湾曲部１８ａの反転形状は、ヒンジ部１８ｂ，１８ｂ；１８ｃ，１８ｃの存在によって、容易に保持されることとなる。
【００２９】
要するに、上記したＳＣＬ用脱着具１０は、図３に示される如く、何等の操作も加えられていない通常の状態（ａ）から、ＳＣＬを摘むために、レンズ保持部１２における一対の接触片部１２ａ，１２ａにて形成される逆八の字状形状を狭くしてなる形態（ｂ）と、ＳＣＬを眼球に装着するために、レンズ保持部１２の逆八の字状形状が、更に大きく拡開されてなる形態（ｃ）となるように、構成されているのである。即ち、操作部１６の二つの押圧部１６ａ，１６ａが相互に接近するように挟圧されることにより、図３の（ａ）の状態から、図３の（ｂ）に示されるように、レンズ保持部１２における一対の接触片部１２ａ，１２ａの開口が狭められて、それらの間に、ＳＣＬを摘んで保持し得るようになっているのであり、一方、作動部１４の前方への移動により、レンズ保持部１２における一対の接触片部１２ａ，１２ａが押し出されると、図３の（ｃ）に示される如く、かかるレンズ保持部１２の一対の接触片部１２ａ，１２ａが、外方に更に大きく拡開せしめられるようになっているのである。
【００３０】
そして、図３（ｂ）に示される如くして、操作部１６の二つの押圧部１６ａ，１６ａの挟圧操作によって、レンズ保持部１２の一対の接触片部１２ａ，１２ａ間の開口幅が狭くされて、それらの間に摘み取られたＳＣＬは、かかる押圧部１６ａ，１６ａに対する挟圧作用が解除されても、脱落するようなことはなく、一対の接触片部１２ａ，１２ａ間に摘まれてなる形態において保持され得るのである。即ち、収納ケースから取り出されるＳＣＬにあっても、また眼球から取り外されたＳＣＬにあっても、ＳＣＬの表面には保存液や涙液等の液体が存在しており、そのために、図４（ａ）に示される如く、ＳＣＬ２０は、その表面に存在する液体にて、レンズ保持部１２における一対の接触片部１２ａ，１２ａの相対向する面に付着し、その状態において保持されることとなるのであり、また、その状態において、ＳＣＬ用脱着具１０を移動させても、それから、ＳＣＬ２０が脱落するようなことはないのである。
【００３１】
また、図４（ａ）に示される如き、ＳＣＬ２０の保持状態から、ＳＣＬ２０の眼球への装着に際しては、脱着具１０の作動部１４が前進せしめられて、図３（ｃ）に示される如く、レンズ保持部１２における一対の接触片部１２ａ，１２ａにて形成される逆八の字状形状が、更に大きく拡開されることとなるが、その際、それら一対の接触片部１２ａ，１２ａ間に保持されているＳＣＬ２０は、その表面に存在する液体によって、図４（ｂ）に示される如く、一対の接触片部１２ａ，１２ａの何れか一方に選択的に付着、保持されることとなるのであり、この状態においても、ＳＣＬ２０が、脱着具１０から、直ちに、脱落するようなことはないのである。このように、ＳＣＬ２０を一方の接触片部１２ａに付着、保持せしめる上において、接触片部１２ａの幅：Ｗとしては、一般に４ｍｍ〜１２ｍｍ程度、好ましくは７ｍｍ〜１０ｍｍ程度が採用されることとなる。
【００３２】
加えて、図５には、かかるＳＣＬ用脱着具１０を用いた、収納ケースからのＳＣＬ２０の取り出し形態が示されており、更に図６には、かかるＳＣＬ用脱着具１０を用いた、ＳＣＬ２０の眼球への装着形態が具体的に示されている。そこにおいて、図５では、特開２０１８−６８８７１号公報に開示の如きＳＣＬ用収納ケースからの、ＳＣＬ２０の取り出し形態が示されており、そこでは、容器本体から取り外されたキャップ部材２２が上下逆転させてなる形態において載置されていると共に、かかるキャップ部材２２の内側に取り付けられた、レンズホルダを構成する保持部材２４と覆蓋部材２６とが開放されてなる形態において、保持部材２４に設けたドーム状のレンズ台座部２８上に載置されたＳＣＬ２０が、ＳＣＬ用脱着具１０にて摘んで、取り出される形態が示されている。なお、ここでは、ＳＣＬ用脱着具１０を用いてＳＣＬ２０を摘み、垂直方向上方に移動させて取り出す形態が示されているが、かかるＳＣＬ用脱着具１０を、水平方向からドーム状レンズ台座部２８に近づけ、その上に載置されたＳＣＬ２０を摘んで、レンズ台座部２８から離脱させるようにすることも可能である。
【００３３】
また、ＳＣＬ用脱着具１０に保持せしめたＳＣＬ２０を眼球に装着するに際しては、図４（ｂ）に示される如く、作動部１４の前進によって、一対の接触片部１２ａ，１２ａを大きく拡開せしめ、それら接触片部１２ａ，１２ａの何れか一方に、ＳＣＬ２０を付着、保持させてなる状態下において、操作部１６の相対向する押圧部１６ａ，１６ａを挟圧せしめることにより、図６（ａ）に示される如く、一対の接触片部１２ａ，１２ａを更に大きく開口せしめて、逆八の字状形状を反転させて、通常の八の字状形状となした後、一方の接触片部１２ａに付着せるＳＣＬ２０を、目的とする眼球に対して、側方から接近させて、装着せしめるようにするのであり、このように、一方の接触片部１２ａに付着せるＳＣＬ２０を眼球に移行せしめるだけで、かかるＳＣＬ２０の装用が、簡単に且つ容易に行われ得ることとなるのである。
【００３４】
なお、眼に装用されているＳＣＬ２０を眼球から取り出すに際しては、眼を大きく開けて、ＳＣＬ２０をＳＣＬ用脱着具１０のレンズ保持部１２の先端部分で眼球の下方（強膜）にずらせた後、先の収納ケースからの取出しの場合と同様にして、ＳＣＬ用脱着具１０のレンズ保持部１２における一対の接触片部１２ａ，１２ａの逆八の字状形状を、操作部１６における相対向する二つの押圧部１６ａ，１６ａの挟圧操作によって狭めて（狭窄させて）、図６（ｂ）に示されるように、眼球の下部に位置するＳＣＬ２０部位を摘んで保持した形態において、ＳＣＬ２０を眼球から取り出した後、かかる二つの押圧部１６ａ，１６ａの挟圧作用を解除し、更にその状態で、図５に示される収納ケースのキャップ部材２２に取り付けられたレンズホルダの保持部材２４に設けられたドーム状のレンズ台座部２８を覆うように接触、載置せしめることにより、ＳＣＬ２０は、ドーム状のレンズ台座部２８上に保持されて、収納ケース内に収容せしめられることとなる。
【００３５】
ところで、このような本発明に従うＳＣＬ用脱着具１０は、一体的な樹脂製品からなる一つの部品として構成されており、これによって、安価となると共に、操作も簡単であって、その取扱い性に優れたものとなるのであるが、そのようなＳＣＬ用脱着具１０は、それを構成するレンズ保持部１２と、作動部１４と、操作部１６と、連結部１８とが、一体成形品として形成されている。また、そこでは、レンズ保持部１２は、その一対の接触片部１２ａ，１２ａにおいてＳＣＬ２０に接触し、それを摘んで、保持するものであるところから、シリコーンゴム、架橋ゴム、オレフィン系エラストマ、スチレン系エラストマ等のエラストマゴム材料にて形成されていることが望ましく、一方、操作部１６や連結部１８や作動部１４は、ポリエチレン、ポリプロピレン等のポリオレフィンの如き、可撓性を有する樹脂材料にて形成されていることが望ましい。尤も、それらレンズ保持部１２、作動部１４、操作部１６及び連結部１８が、一種の樹脂材料にて形成されるように構成することも可能である。
【００３６】
そして、レンズ保持部１２と作動部１４、操作部１６、連結部１８とが異なる樹脂材料にて形成される場合にあっては、有利には、２色成形乃至はインサート成形による一体射出成形品にて構成されることとなるのである。即ち、レンズ保持部１２と、作動部１４、操作部１６及び連結部１８の一体化物の何れか一方を、先に成形した後、他方の射出成形を行う２色成形や、レンズ保持部１２又は作動部１４、操作部１６及び連結部１８の一体化物をインサートとして成形型内に収容した後、他方を射出成形するインサート成形によって製造することによって、一体的な樹脂製品として、有利に且つ安価に製造され得ることとなるのである。
【００３７】
以上、本発明の代表的な実施形態について詳述してきたが、それは、あくまでも例示に過ぎないものであって、本発明は、そのような実施形態に係る具体的な記述によって、何等限定的に解釈されるものではないことが、理解されるべきである。
【００３８】
例えば、上記の実施形態においては、操作部１６が、全体としてコ字状形状を呈する平面形態を有するように構成されているが、作動部１４を取り囲むように配置されて、相対向する二つの押圧部１６ａ，１６ａの挟圧操作にて、レンズ保持部１２における逆八の字状形状の開閉が可能となる形状であれば、如何なる形状をも採用することが可能であり、例えば、長円形状や楕円形状等の平面形態を呈する構造のものであっても、何等差支えない。また、操作部１６の幅にあっても、ここでは、レンズ保持部１２（接触片部１２ａ）と同一幅：Ｗとされているのであるが、二つの押圧部１６ａ，１６ａの挟圧操作が可能である範囲の幅において、適宜の幅が採用されることとなる。
【００３９】
加えて、接触片部１２ａの基部近傍におけるヒンジ部１２ｃや、押圧部１６ａの接触片部１２ａに対する接続部位近傍におけるヒンジ部１６ｃ、更には連結部１８の作動部１４や押圧部１６ａに対する連結部位近傍におけるヒンジ部１８ｂ，１８ｂ；１８ｃ，１８ｃにあっても、それらレンズ保持部１２、作動部１４、操作部１６及び連結部１８が変形の容易な材質の樹脂材料からなる場合にあっては、必ずしも必要とされるものではなく、更には、そのヒンジ構造にあっても、例示の如きくびれ構造のものの他、従来から公知の各種の構造の採用が可能である。
【００４０】
また、例示の実施形態においては、レンズ保持部１２における相対向する一対の接触片部１２ａ，１２ａの先端部が、それぞれ、側方に小さな曲率半径をもって湾曲せしめられてなる湾曲部１２ｂ，１２ｂとされて、ＳＣＬ２０の装着時において、装用者に対して安心感を与える形状とされているが、それに代えて、接触片部１２ａの中央部側部位と同様な曲率で延びる湾曲部とされていても、何等差支えない。
【００４１】
さらに、連結部１８の形態にあっても、各種の湾曲形状が採用され得る他、作動部１４の基部側の端部と両側の押圧部１６ａ，１６ａとを直線的に連結したり、傾斜して連結したりする構造も採用可能であり、また、変形の容易な同一厚さの薄肉の連結部とすることも可能である。
【００４２】
その他、一々列挙はしないが、本発明は、当業者の知識に基づいて、種々なる変更、修正、改良等を加えた態様において実施され得るものであり、更に、そのような実施の態様が、本発明の趣旨を逸脱しない限りにおいて、何れも、本発明の範疇に属するものであることは、言うまでもないところである。
【符号の説明】
【００４３】
１０    ソフトコンタクトレンズ用脱着具
１２    レンズ保持部                  １２ａ  接触片部
１２ｂ  湾曲部                        １２ｃ  ヒンジ部
１４    作動部                        １４ａ  三角形状の凹所
１４ｂ  長円形状の凹所                １６    操作部
１６ａ  押圧部                        １６ｂ  接続部
１６ｃ  ヒンジ部                      １８    連結部
１８ａ  湾曲部                        １８ｂ  ヒンジ部
１８ｃ  ヒンジ部                      ２０    ソフトコンタクトレンズ
２２    キャップ部材                  ２４    保持部材
２６    覆蓋部材                      ２８    レンズ台座部
【図１】
2020008723.tif 000003
【図２】
2020008723.tif 000004
【図３】
2020008723.tif 000005
【図４】
2020008723.tif 000006
【図５】
2020008723.tif 000007
【図６】
2020008723.tif 000008